(57)【要約】【課題】料理や飲料の材料とテーマとそれぞれにふさわしい音声、照明と、映像情報を基に音声機器、照明機器と、映像機器の設定を変更する飲食環境制御システムを提供すること。【解決手段】環境制御端末１０１と、音声機器制御端末１０３と、照明機器制御端末１０４と、映像機器制御端末１０５と、音声機器１０６と、照明機器１０７と、映像機器１０８とを備え、飲料と料理の材料とテーマとそれぞれにふさわしいメモリー４０６に保存された音声、照明と、映像情報、またインターネットからダウンロードした天候、気温、日時の情報を基に環境制御端末１０１から照明、音声と、映像の設定をすることにより、飲料や料理に合った飲食環境を提供することが可能となる。【選択図】図１
2006058996.tif 000002
【特許請求の範囲】
【請求項１】
音声機器制御装置、音声機器、照明機器制御装置、照明機器、映像機器制御装置と、映像機器の全てもしくは一部と、飲料と料理の材料と、テーマとにそれぞれにふさわしい音声情報、照明情報、映像情報をメモリーに保存し、ネットワークを通じて入手した天候、気温や日時などの情報を基に前記音声機器と、前記照明機器と、前記映像機器の設定をする環境制御端末を備えている飲食環境制御システム。
【請求項２】
音声機器制御装置、照明機器制御装置と、映像機器制御装置に無線通信機器を設け環境制御端末から音声機器、照明機器と、映像機器の全て、もしくは一部の設定を無線通信によって変更することが可能である請求項１記載の飲食環境制御システム。
【請求項３】
音声機器制御装置は、数値化された音声種類と、複数段階の音量と、演奏時間の設定が可能である請求項２記載の飲食環境制御システム。
【請求項４】
照明機器制御装置は、照明機器のオン、オフ、数値化された複数段階の明るさと色、点灯時間を制御することが可能である請求項２記載の飲食環境制御システム。
【請求項５】
映像機器制御装置は、数値化された複数の静止画と映像の種類を選択し、流す時間、回数を設定することが可能である請求項２記載の飲食環境制御システム。
【請求項６】
テーブルに設けられているテーブル端末に所望の飲料や料理を入力し、入力された情報がテーブルから環境制御端末にテーブル情報、希望の飲料と料理の名前と番号が表示され、料理や飲料の音声、照明と、映像の設定がメモリーから選択されることを特徴とした請求項１記載の飲食環境制御システム。
【請求項７】
環境制御端末と複数の親機を伝送ネットワークを介して接続し、一台の親機から複数のテーブルに設けられた音声機器、照明機器と、映像機器の設定を行うことを可能とした請求項６記載の飲食環境制御システム。
【請求項８】
請求項１〜７記載の機能の飲食環境制御システムの少なくとも一部をコンピュータに実現させるためのプログラム。
【発明の詳細な説明】
【技術分野】
【０００１】
本発明は飲食環境を制御する装置にかかり、特に、飲食店の雰囲気を向上する飲食環境制御システムに関するものである。
【背景技術】
【０００２】
従来、この種の環境制御システムはカラオケボックスなどで選択された楽曲によりボックス内の環境を変更することを可能としている（例えば、特許文献１参照）。また従来飲食店サービスシステムは電子化されたメニューにより客席テーブルより直接注文をすることを可能としている（例えば、特許文献２参照）。
【０００３】
図８は、特許文献１に記載された従来の環境制御システムを示すものである。図８に示すように、プログラムＲＯＭ８０２と、ＲＡＭ８０３と、コマンダＩ／Ｆ部８０４ａと、出力Ｉ／Ｆ部８０４ｂと、ＣＰＵ８０５と、映像制御回路８０６と、第１ＣＤＲＯＭ８０７と、第２ＣＤＲＯＭ８０９ａと８０９ｂとから成る環境制御装置８０１と、プロジェクタ８１０と、送風装置８１１と、空調装置８１２と、臭い発生装置８１３と、スモーク発生装置８１４と、照明調節器８１５と照明機器８１６から構成されている。
【０００４】
リクエスト曲等のコマンダはコマンダＩ／Ｆ部８０４ａよりＣＰＵへ転送され、リクエスト曲に対応する映像情報の読み出し・再生等を、映像制御回路８０６、第１ドライブ８０７、第２ドライブ８０８等に指令しプロジェクタ８１０により出力され、環境パターン情報に基づいて出力Ｉ／Ｆ部８０４ｂから送風装置８１１、空調装置８１２、臭い発生装置８１３、スモーク発生装置８１４、や照明調節器に指令が送られリクエスト曲が流れ始めると環境が変更される。
【０００５】
図９は、特許文献２に記載された従来の飲食店サービスシステムを示すものである。図９に示すように、総合制御手段９０１と、情報伝達手段９０２と、メニュー表示手段９０３と、会計手段９０４と、発音手段９０５と、香り合成手段９０６、と香り発生手段９０７から構成されている。
【０００６】
メニュー表示手段９０３により入力された情報は情報伝達手段９０２を介して総合制御手段９０１、会計手段９０４に送られ、その情報により厨房で料理を調理している際の音が発音手段９０５により流れ、料理の香りが香り合成手段９０６により合成され香り発生手段９０７から流れる。
【特許文献１】特開平８−７６７７９号公報
【特許文献２】特開２００４−１３３８７０号公報
【発明の開示】
【発明が解決しようとする課題】
【０００７】
しかしながら、前記従来の構成では、音楽にあった演出をその音楽が流れている間のみ提供することは可能であったが、料理や飲料に合った演出を提供することや演出の提供時間を自由に設定すること、環境情報の更新を行うこと、また複数の環境設定を一台の端末から制御することができなかった。また客席テーブルから直接注文をし、メニューに記載されている料理を音声や映像を使いより具体的に提供する事は可能であるが注文した飲料や料理に会った空間を提供するという課題を有していた。
【０００８】
本発明は、前記従来の課題を解決するもので、料理や飲料の材料とテーマとそれぞれにふさわしい音声、照明と、映像情報により音声機器、照明機器や映像機器の設定を変更する飲食環境制御システムを提供することを目的とする。また大規模な飲食店でも導入可能で飲食店のレイアウト変更を容易に行えるように無線通信を利用した飲食環境制御システムを提供することを目的とする。
【課題を解決するための手段】
【０００９】
前記従来の課題を解決するために、本発明の飲食環境制御システムは、音声機器制御装置、音声機器、照明機器制御装置、照明機器、映像機器制御装置、と映像機器の全て、もしくは一部と飲料と料理の材料とテーマとそれぞれにふさわしい音声、照明と、映像情報をメモリーに保存し、通信装置を備えネットワークを通じて天候、気温、日時の情報や新しい飲食環境設定を入手することができ、それらの情報を基に音声、照明、と映像の設定を無線通信機器を使い変更することを可能としたものである。これによって、飲料や料理に合った飲食環境を設置場所を問わずに提供することが可能となる。
【発明の効果】
【００１０】
本発明の飲食環境制御システムは、飲料や料理の味や盛り付け以外に食事をする雰囲気にまで演出を加えることができ、飲料や料理の味を引き立て、食事をより楽しんでもらうことが可能となる。また飲食店等で採用した際には、食事体験の向上を図ることにより再度お店へ足を運んでもらう可能性を高めることができる。
【発明を実施するための最良の形態】
【００１１】
第１の発明は音声機器制御装置、音声機器、照明機器制御装置、照明機器、映像機器制御装置、と映像機器の全て、もしくは一部と飲料と料理の材料とテーマとそれぞれにふさわしい音声、照明と、映像情報をメモリーに保存し、通信装置を備えネットワークを通じて天候、気温、日時などの情報を入手することができ、それらの情報を基に照明機器、音声機器と、映像機器の設定を行う環境制御端末を備えることによりユーザーのニーズや料理と飲料によって飲食環境を変更することができる。
【００１２】
第２の発明は、特に、第１の発明の飲食環境制御システムで、音声機器制御装置、照明機器制御装置と、映像機器制御装置に無線通信機器を設け環境制御端末から音声機器、照明機器と、映像機器の全て、もしくは一部の設定を変更することが可能となり、前記環境制御端末を前記音声機器、前記照明機器や、前記映像機器から離れた場所に設置しても設定を変更することができる。
【００１３】
第３の発明は、特に、第２の発明の飲食環境制御システムで、数値化された複数段階の音声種類と、音量と、演奏時間の設定を可能とすることにより、飲料や料理の雰囲気にあった音声の演出を設定することができる。
【００１４】
第４の発明は、特に、第２の発明の飲食環境制御システムで、照明機器のオン、オフ、数値化された複数段階の明るさと色、点灯時間の設定を可能とすることにより、飲料や料理の雰囲気にあった照明の演出を設定することができる。
【００１５】
第５の発明は、特に、第２の発明の飲食環境制御システムで、数値化された複数の静止画と映像の種類を選択し、流す時間、回数の設定を可能とすることにより、飲料や料理の雰囲気にあった映像の演出を設定することができる。
【００１６】
第６の発明は、特に、第１の発明の飲食環境制御システムに、テーブルに設けられているテーブル端末に所望の飲料や料理を入力し、入力された情報がテーブルから環境制御端末にテーブル情報、希望の飲料と料理の名前と番号が表示され、料理や飲料の音声、照明と、映像の設定がメモリーから選択されることにより、テーブルに座ったまま所望の飲料や料理の雰囲気にあった演出を設定することができる。
【００１７】
第７の発明は、特に、第６の発明の飲食環境制御システムで、環境制御端末と複数の親機を伝送ネットワークを介して接続し、一台の親機から複数のテーブルに設けられた音声機器、照明機器と、映像機器の設定を行うことを可能とすることにより、複数の飲食環境を１つの前記環境制御端末から設定できテーブルの数を自由に設定することができる。
【００１８】
第８の発明は飲食環境制御システムの機能の少なくとも一部をプログラム化することにより、電気・情報機器、コンピュータ、サーバー等のハードリソースを協働させて本発明の飲食環境制御システムの少なくとも一部を容易に実現することができる。また記録媒体に記録したり通信回線を用いてプログラムを配信したりすることでプログラムの配布・更新やそのインストール作業が簡単にできる。
【００１９】
以下、本発明の実施の形態について、図面を参照しながら説明する。なお、この実施の形態によって本発明が限定されるものではない。
【００２０】
（実施の形態１）
図１から図５は、本発明の第１の実施の形態における飲食環境制御システムの構成図を示すものであり、図２は特に飲食店や複数の飲食環境を１つの環境制御端末で制御する際の構成図、図３は特に飲食環境制御システム用機器の設置図、図４は特に環境制御端末の構成図、図５は特に各機器に接続される機器制御端末の構成図である。
【００２１】
図１において、環境制御端末１０１は直接あるいはインターネット１０２を介して操作することが可能であり、環境制御端末１０１から音声機器制御端末１０３と、照明機器制御端末１０４と、映像機器制御端末１０５に環境設定の指示が送られ、音声機器１０６と、照明機器１０７と、映像機器１０８それぞれが指示に従って設定される。
【００２２】
図２において、環境制御端末１０１は伝送ネットワーク２０１を介して複数の親機２０２に接続されており、各親機２０２には複数の客席テーブル端末２０３と音声機器制御端末１０５と、照明機器制御端末１０４と、映像機器制御端末１０５が無線で接続されており、機器制御端末には複数の音声機器１０６、照明機器１０７、と映像機器１０８を接続することが可能である。
【００２３】
図３において、飲食テーブル３０４付近に設置される機器は、天井に取り付けられる音声機器３０１ａ、照明機器３０２ａ、壁に取り付けられる音声機器３０１ｂ、映像機器１０８ａ、テーブルに取り付けられる照明機器３０２ｂ、テーブルのイス３０３の前に取り付けられる照明機器３０３ｃ、床に取り付けられる音声機器３０１ｃと、照明機器３０２ｃから構成される。
【００２４】
図４において、環境制御端末１０１は入力手段４０１と、プロセッサー４０２と、情報出力手段４０３と、表示手段４０４と、検索手段４０５と、メモリー４０６、通信装置４０７、と無線通信機器４０８から構成され指示４０９を出力する。
【００２５】
図５において、機器制御端末５０４は無線通信機器５０１と、データ処理手段５０２と、機器制御手段５０３と、データディスク５０５から構成される。
【００２６】
以上のように構成された飲食環境制御システムについて、以下その動作、作用を説明する。
【００２７】
まず一般家庭など１つの飲食環境を制御する場所にこのシステムが導入された場合、図１に示すように直接、環境制御端末１０１に料理の名前や料理の種類を入力するかインターネット１０２を介してインターネットに接続可能な端末から飲料や料理を入力する。
図４に示すように環境制御端末１０１には複数の飲料や料理が登録されているメモリー４０６があり、入力手段４０１により入力された飲料や料理をプロセッサー４０２が検索手段４０５に検索の指示をだし、メモリー４０６より適切な音声（ここで音声とは声を含まない音楽をも含める）、照明、と映像の情報を引き出し、情報出力手段４０３にから出力する。この出力された情報は指示４０９として図１に示すように音声機器制御端末１０３、照明機器制御端末１０４、映像機器制御端末１０５に無線通信により送られる。
【００２８】
図５に示すように機器制御端末１０１は通信機器５０１により環境制御端末１０１から出力された情報、指示４０９を受信し、データ処理手段５０２により情報を解読し、その情報に基づいたデータをデータディスク５０５から検出し、機器制御手段５０３により機器５０６が動作し始める。例えば音声機器の場合、データディスク５０５には複数の音声が保存されており、データ処理手段５０２は受信した情報と同じ音声を検出し、機器制御手段５０３によりその音声が機器５０６から指定された音量で流れる。
【００２９】
次に飲食環境制御システムが飲食店等に導入された場合について説明する。
【００３０】
図２のように飲食店等には複数の客席テーブルが設置されており、各客席テーブルに異なった環境設定を行う必要がある。そのため厨房など食堂エリアから離れた場所に設置された環境制御端末１０１は伝送ネットワークを通じて複数の親機２０２に繋がっている。親機２０２の数は飲食店の規模により自由に設定可能である。親機２０２は複数の飲食テーブル３０４との通信を担当し、一般家庭使用の場合と同じ様に無線通信により音声機器制御端末１０３、照明機器制御端末１０４と、映像機器制御端末１０５と通信を行い、音声機器１０６、照明機器１０７、と映像機器１０８の設定を行う。
【００３１】
また飲食店で利用の際は客席テーブル端末２０３から注文を入力し、無線により親機２０２へ送信し、伝送ネットワーク２０１を介して環境制御端末１０１へ飲料や料理を入力することも可能である。また客席テーブル端末２０３を用いずに飲食店の従業員が環境制御端末１０１に直接入力してもよい。またインターネットに接続可能な端末を用いて環境制御端末１０１に入力してもよい。
【００３２】
最後に機器の設置場所について説明をする。図３のように、まず音声機器１０６は天井音声機器３０１ａ、壁音声機器３０１ｂと、床音声機器３０１ｃのように飲食テーブル３０４とイス３０３を取り囲むように設置をし、全ての音声機器３０１を同時に使用、又は一部を使用、定期的に使用する音声機器３０１を変更するなどの設定が可能である。
【００３３】
照明機器１０７は天井照明機器３０２ａ、テーブル照明機器３０２ｂ、テーブル個人照明機器３０２ｃと、床照明機器３０２ｄを設けることが可能であり、音声機器３０１同様、同時に点灯する照明機器３０２の個数を設定することができ、またテーブル個人照明機器３０２ｃを設けることにより、同時に複数の飲料や料理をテーブル３０４に並べる際には、各個人照明機器３０２ｃの色や明るさを各料理ごとに変更し、１つのテーブル３０４上で様々な演出をすることも可能である。映像機器１０８は壁に設ける場合が主であるが、小型なものを用い、テーブル上に置くことも可能である。
【００３４】
（実施の形態２）
図６は、本発明の第２の実施の形態の環境制御端末活用手順のフローチャートである。
【００３５】
まず一般家庭に飲食環境制御システムが導入された場合の手順について説明をする。
【００３６】
最初にＳｔｅｐ１にて環境制御端末１０１に設定時間を入力する。この際、機器を動作し始めたい時刻を入力、現時刻、又は設定ボタンを押した際などを選ぶことができる。設定ボタンを押した際を選択した場合には、全ての入力手順が終了した際に設定ボタンが画面に表示され、それを押した時に機器が動作し始める。また終了時間も同じように設定でき、機器の動作を終了したい時刻を入力、或は設定終了ボタンを押した際などをえらぶことができる。
【００３７】
設定時間の入力後はＳｔｅｐ２にて入力手段を選択する。この際材料入力、料理名選択、テーマ選択の３つから選ぶことができ、材料入力では料理に使用される複数の材料をＳｔｅｐ３にて選択していきＳｔｅｐ４にて材料が見つからない場合はＳｔｅｐ５にて入力手段を変更するかどうかを選択でき、また変更しない場合にはＳｔｅｐ６にてインターネットに接続しＳｔｅｐ７にてダウンロード可能な料理名が端末上に表示されメモリー４０６上にない材料をダウンロードすることも可能である。
【００３８】
料理名選択の際も同様、Ｓｔｅｐ３にて環境制御端末１０１上に表示された料理名の中から選択していき、Ｓｔｅｐ４にて選択種に料理や飲料が見つからない場合はＳｔｅｐ５にて入力手段を変更するかどうかを選択し、Ｓｔｅｐ６にてインターネットに接続しＳｔｅｐ７にてダウンロードすることが可能である。またテーマ選択は誕生日、お正月などのイベント、インターネットよりダウンロードした天候、気温、日時を選ぶことが可能である。ダウンロードした食材や料理名は一回限りで使うことも、メモリー４０６に保存をすることも可能である。
【００３９】
Ｓｔｅｐ８にて全ての料理や飲料の入力が終わり次第Ｓｔｅｐ９にて入力結果が表示され、正しければＳｔｅｐ１０にてその入力結果に伴った飲食環境設定が表示される。その設定にＳｔｅｐ１１にて決定をした際にはＳｔｅｐ１２にて機器が動作し始め、Ｓｔｅｐ１３にてその動作で正しいのかどうかの確認を行う。正しい場合はＳｔｅｐ１４にて設定が終了となり、最初に設定した時間が現時刻の場合は機器は終了時間までそのまま動作し続け、設定時刻が現時刻ではない場合は、機器は一旦停止し時刻になるまで動作するのを待つ。またＳｔｅｐ１３にて設定に満足をしていない場合はもう一度選択手段を選ぶ画面まで戻ることができ、そこから新たに設定を行うことが可能である。
【００４０】
次に飲食環境制御システムを飲食店等で活用する際の手順について説明する。
【００４１】
まず客席テーブル端末から注文をした場合、２通りの選択種がある。コース料理を選択する場合と単品で注文する際である。
【００４２】
まずメニューの中からコース料理が選択された場合の手順を説明する。厨房側では注文が届きしだい環境制御端末１０１にテーブル番号とコース番号が表示される。確認ＯＫのボタンを押すと、選択されたコースに合った照明、音楽、と映像が客席側で流れはじめる。そして一品目の料理が出来上がった際には、一品目設定のボタンを端末上で押し料理を運び出す。設定ボタンが押された際には、ブース側では一品目の料理にあった照明、音楽、と映像に設定が変更される。この際食前の音楽や映像が終了していない場合は、瞬時に新しい設定に変更するのではなく、音楽は一定の時間をかけてフェイドアウトし新しい音楽をかけはじめ、映像もおなじく一定の時間をかけて徐々に見えなくし新しい映像を流し始める。
【００４３】
おなじく二品目の料理が出来上がった際には、設定ボタンを押し、料理を運び、その間にブース内の照明、音楽、と映像が二品目の料理に合ったものに変更される。同じように最後の料理まで設定を変更していき、最後の料理の設定は一定の時間が経つと自動的に食後の設定に変更する。また環境制御端末１０１で設定をしてから料理を運び出すのではなく、自動的に一定の時間を置くと次の設定に変更するようあらかじめ設定することも可能である。
【００４４】
次にコースではなく、単品メニューを注文する場合の手順を説明する。単品メニューの選択方法には二通りあり、いくつかのテーマに分かれた単品メニューのなかからあるひとつのテーマの中からのみ注文をする場合と複数のテーマにまたがって注文をする場合である。
【００４５】
一定のテーマのなかから単品メニューを注文する場合は、一定のコースと手順は似ており、まず注文が届き環境制御端末１０１にテーブル番号とテーマ番号と注文が表示される。確認ＯＫのボタンを押すと、選択されたテーマに合った照明、音楽、と映像が客席側で流れ始める。そして一定のコースの場合と同様、一品目の料理を持ち運び始める前に持ち運んでいる料理の番号を端末上で押すとブース側で一品目の料理にあった照明、音楽、と映像が設定される。二品目の料理が出来上がった際も同様の手順で料理を運び、ブースの設定を行う。
【００４６】
次にテーマに関係なく単品メニューの中から注文をする場合は注文が届き次第環境制御端末１０１に注文が表示され、検索手段４０５の出力に従い設定を行う。検索手段４０５による詳しい設定方法は実施の形態３で説明する。
【００４７】
（実施の形態３）
図７は、本発明の第２の実施の形態の検索手段の構成図である。図７において図４と同じ構成要素については同じ符号を用い、説明を省略する。ここでは飲食店制御システムの検索手段４０５がどのような演算を使い各飲料、料理にあった照明、音楽、映像を選択しているかを説明する。
【００４８】
ここで音声、照明、や映像情報が保存されているメモリー４０６に関して説明をする。メ  モリー４０６には実施の形態２で説明した３つの入力手段、材料入力、料理入力、とテーマ入力、に対応できるよう一般的な食材、料理、飲料、テーマにあった音声情報、照明情報、と映像情報を保存している。テーマ入力が選択された場合には検索手段４０５によりメモリー４０６から選択されたテーマ用に登録された音声情報、照明情報、と映像情報が読み出され、検索手段から出力される。
【００４９】
なお初期設定では各テーマには１通りの情報しか登録されていないが、インターネットを介してダウンロードすることにより複数の環境設定情報を１つのテーマに設けることも可能である。
【００５０】
次に料理入力の多くの場合は一品だけではなく複数の料理名や飲料名が同時に入力されるが、このシステムには料理ごとに異なった設定が保存されている。そのため検索手段４０５にはカウンター７０１と一時記録媒体７０２が設けられており、カウンター７０１は例えば曲Ａが複数の料理の設定に何回登場するかを数え、その結果を一時記録媒体７０２に保存しておく。同じように他の設定に関しても同じ音声情報、映像情報の登場回数を数え、各情報の登場数の一番多いものに決定する。また登場回数が同じであった場合は、両方の設定を表示画面に表示しユーザーに選択させることや、一番最近使われていないほうに決定、情報番号の小さい方を常に選ぶなどと設定することが可能である。また登場回数が全て１であった場合は、ユーザーにどの料理の設定を優先するかを選択させることもできる。
【００５１】
最後に材料入力の場合は料理入力の場合と同様、カウンター７０１を利用して登場回数の多い設定を選択する。また材料入力の場合も登場回数が同じ設定が二つ以上合った場合には料理入力と同様の手順で設定を決定することが可能であり、またある時間ごとに設定を循環していくことも可能である。
【００５２】
またインターネットから新しい情報を入手した場合には、既存の設定と連番になるよう情報に名前が付けられメモリー４０６に保存される。
【００５３】
なお、本実施の形態は飲食店で説明したが、これを家庭で実施してもよい。その場合、音声情報、照明情報や映像情報の３つがそろっていなくても、少なくとも１つでもって飲食環境が制御できればよい。
【００５４】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５５】
以上のように、本発明にかかる飲食環境制御システムは、音声機器、照明機器、映像機器を変更することが可能となるので、オフィスビルの内装やセキュリティーシステムの制御等の用途にも適用できる。
【図面の簡単な説明】
【００５６】
【図１】本発明の実施の形態１における飲食環境制御システムの構成図
【図２】本発明の実施の形態１における飲食店や複数の飲食環境を１つのシステムの中で制御する際の飲食環境制御システムの構成図
【図３】本発明の実施の形態１における飲食環境制御システム用機器の設置図
【図４】本発明の実施の形態１における環境制御端末の構成図
【図５】本発明の実施の形態１における機器制御端末の構成図
【図６】本発明の実施の形態２における環境制御端末活用手順のフローチャート
【図７】本発明の実施の形態３における検索手段の構成図
【図８】従来の環境制御システムの構成図
【図９】従来の飲食店サービスシステムの構成図
【符号の説明】
【００５７】
１０１  環境制御端末
１０３  音声機器制御装置
１０４  照明機器制御装置
１０５  映像機器制御装置
１０６  照明機器
１０７  音声機器
１０８  映像機器
２０１  伝送ネットワーク
２０２  親機
２０３  客席テーブル端末
４０６  メモリー
４０７  通信装置
４０８  通信機器
【図１】
2006058996.tif 000003
【図２】
2006058996.tif 000004
【図３】
2006058996.tif 000005
【図４】
2006058996.tif 000006
【図５】
2006058996.tif 000007
【図６】
2006058996.tif 000008
【図７】
2006058996.tif 000009
【図８】
2006058996.tif 000010
【図９】
2006058996.tif 000011